(57)【要約】【課題】本発明の課題は、組立性が良好で、且つ筆記体の筆記先端部の出没時にクリップが外れることのない出没式筆記具を簡単な構造で提供することである。【解決手段】本発明は、クリップをスライドすることにより、筆記体の筆記先端部を軸筒の先端開口部より突出する繰出機構を有した出没式筆記具であって、前記軸筒内に、クリップの前後動に連動する摺動部材を配設し、前記摺動部材に前記クリップの脚部に対向して係合片部を併設するとともに、前記２本のクリップの脚部に係合凹部又は係合凸部と、前記摺動部材の係合片部に設けた係合凸部又は係合凹部とを凹凸係合するとともに、軸筒の後端部に、前記筆記先端部が軸筒先端部内に没入した状態で、前記クリップの脚部及び摺動部材の係合片部間、且つ前記摺動部材の係合片部とクリップの脚部との凹凸係合部の同一円周上に位置する中間突部とを有する頭冠を装着したことを特徴とする。【選択図】      図１
2013132837.tif 000002
【特許請求の範囲】
【請求項１】
軸筒内に、筆記体を弾発部材によって後方に弾発して配設し、前記軸筒の後端部に、長手方向に伸びる摺動溝を、径方向の異なる位置に２本設け、前記摺動溝に対向して設けた２本のクリップの脚部を、前記摺動溝に摺動自在に配設し、前記摺動溝に沿って、前記クリップをスライドすることにより、前記筆記体の筆記先端部を軸筒の先端開口部より突出する繰出機構を有した出没式筆記具であって、前記軸筒内に、クリップの前後動に連動する摺動部材を配設し、前記摺動部材に前記クリップの脚部に対向して係合片部を併設するとともに、前記２本のクリップの脚部に設けた係合凹部又は係合凸部と、前記摺動部材の係合片部に設けた係合凸部又は係合凹部とを凹凸係合するとともに、軸筒の後端部に、前記筆記先端部が軸筒先端部内に没入した状態で、前記クリップの脚部及び摺動部材の係合片部間、且つ前記摺動部材の係合片部とクリップの脚部との凹凸係合部の同一円周上に位置する中間突部とを有する頭冠を装着したことを特徴とする出没式筆記具。
【請求項２】
前記クリップの脚部が、前記摺動部材に回動自在に係合してあり、前記摺動部材とクリップ部材間に配設した弾発部材によって、前記クリップの先端部を軸筒の外表面に弾発し、クリップの後端部を下方に押圧すると、摺動部材とクリップの脚部との連結部を支点にしてクリップの先端部が上方に開くことを特徴とする請求項１に記載の出没式筆記具。
【発明の詳細な説明】
【技術分野】
【０００１】
本発明は、クリップをスライドすることにより、筆記体の筆記先端部を軸筒の先端開口部より突出する繰出機構を有した出没式筆記具に関する。
【背景技術】
【０００２】
従来から、筒体の外壁面とクリップの底壁面間に配設した弾発部材によって、常時、クリップの先端部を筒体の外壁面に圧接し、クリップの後端部を押圧することにより、クリップと筒体との連結部を支点とし、前記クリップの先端部を軸筒の外壁面から離間可能に配設したクリップを有する筆記具はよく知られている。こうしたクリップを有する筆記具において、特開平９−９９６９０号公報「ノック式筆記具」や特開２００９−６６４３号公報「クリップ取付構造」、特開２００５−２３１１４８号公報「シャープペンシル」等に、コイルスプリングや板バネなど弾発部材によってクリップを弾発した筆記具が開示されている。
【０００３】
ところで、回転カムによる出没機構にあっては、特開２００７−２５３４８７号公報「印鑑付き筆記具」等、クリップをスライドすることで、筆記体の筆記先端部を出没可能としたノック式筆記具を開示している。こうしたクリップスライド式の出没式筆記具においては、軸筒に摺動溝を形成し、この摺動溝にクリップの脚部が位置するようにしてある。
【先行技術文献】
【特許文献】
【０００４】
【特許文献１】特開平９−９９６９０号公報
【特許文献２】特開２００９−６６４３号公報
【特許文献３】特開２００５−２３１１４８号公報
【特許文献４】特開２００７−２５３４８７号公報
【発明の概要】
【発明が解決しようとする課題】
【０００５】
しかし、特許文献４等、クリップをスライドによって筆記体の筆記先端部を出没可能とすると、出没作動による衝撃、特に没入時の衝撃によって、クリップと摺動部材との係合部が外れてしまう恐れがあった。こうした問題を鑑みて、摺動部材とクリップを一体に形成することも考えられるが、形状の制約や組立性等、新たな問題が生じる。
【０００６】
本発明はこれらの従来技術に鑑みてなされたものであって、組立性が良好で、且つ筆記体の筆記先端部の出没時にクリップが外れることのない出没式筆記具を簡単な構造で提供することにある。
【課題を解決するための手段】
【０００７】
本発明は、前記問題を解決するために、軸筒内に、筆記体を弾発部材によって後方に弾発して配設し、前記軸筒の後端部に、長手方向に伸びる摺動溝を、径方向の異なる位置に２本設け、前記摺動溝に対向して設けた２本のクリップの脚部を、前記摺動溝に摺動自在に配設し、前記摺動溝に沿って、前記クリップをスライドすることにより、前記筆記体の筆記先端部を軸筒の先端開口部より突出する繰出機構を有した出没式筆記具であって、前記軸筒内に、クリップの前後動に連動する摺動部材を配設し、前記摺動部材に前記クリップの脚部に対向して係合片部を併設するとともに、前記２本のクリップの脚部に設けた係合凹部又は係合凸部と、前記摺動部材の係合片部に設けた係合凸部又は係合凹部とを凹凸係合するとともに、前記軸筒の後端部に、前記筆記先端部が軸筒先端部内に没入した状態で、前記クリップの脚部及び摺動部材の係合片部間、且つ前記摺動部材の係合片部とクリップの脚部との凹凸係合部の同一円周上に位置する中間突部とを有する頭冠を装着したことを特徴とする。
【０００８】
また、前記クリップの脚部が、前記摺動部材に回動自在に係合してあり、前記摺動部材とクリップ部材間に配設した弾発部材によって、前記クリップの先端部を軸筒の外表面に弾発し、クリップの後端部を下方に押圧すると、摺動部材とクリップの脚部との連結部を支点にしてクリップの先端部が上方に開くことを特徴とする。
【０００９】
本願発明の第１の構成によれば、クリップをスライドすることにより、筆記体の筆記先端部を軸筒の先端開口部より突出する繰出機構を有した出没式筆記具であって、前記軸筒内に、クリップの前後動に連動する摺動部材を配設し、前記摺動部材に前記クリップの脚部に対向して係合片部を併設するとともに、前記２本のクリップの脚部に設けた係合凹部又は係合凸部と、前記摺動部材の係合片部に設けた係合凸部又は係合凹部とを凹凸係合すするとともに、前記軸筒の後端部に、前記筆記先端部が軸筒先端部内に没入した状態で、前記クリップの脚部及び摺動部材の係合片部間、且つ前記摺動部材の係合片部とクリップの脚部との凹凸係合部の同一円周上に位置する中間突部とを有する頭冠を装着してあるため、筆記先端部の没入時に、クリップ又は摺動部材の内側に位置する部材のさらなる内側への移動を規制し、凹凸係合の外れを抑制する効果を奏する。
【００１０】
尚、頭冠の中間突部の形状は特に限定されないが、クリップの脚部及び摺動部材の係合片部が内側にも撓み、クリップと摺動部材を凹凸係合しやすくなるので、前記したクリップと摺動部材を凹凸係合した後に頭冠を装着することが好ましい。
【００１１】
本願発明の第２の構成によれば、前記クリップが、前記摺動部材とクリップ部材間に配設した弾発部材によって、前記クリップの先端部を軸筒の外表面に弾発し、クリップの後端部を下方に押圧すると、摺動部材とクリップの脚部との連結部を支点にしてクリップの先端部が上方に開くため、強い挟持力を得られるとともに、クリップの先端部が上方に開く距離を大きくすることが可能となる。
【００１２】
また、本発明のクリップには、ステンレス鋼、銅合金、アルミニウム等の金属材料やＰＣ樹脂、ＰＰ樹脂、ＡＳ樹脂等の樹脂材料など、筆記具のクリップとして一般的に知られている材料のなかから適宜選定すればよい。
【発明の効果】
【００１３】
本発明は、組立性が良好で、且つ筆記体の筆記先端部の出没時にクリップが外れることのない出没式筆記具を簡単な構造で提供することができた。
【図面の簡単な説明】
【００１４】
【図１】実施例１の出没式筆記具を示す縦断面図である。
【図２】図１における筆記先端部を突出した状態を示す縦断面図である。
【図３】図１における一部省略したＡ−Ａ断面図である。
【図４】クリップ側から見た摺動部材と頭冠の位置関係を示す外観図である。
【発明を実施するための形態】
【００１５】
次に図面を参照しながら、本発明の出没式筆記具の実施例を説明するが、本発明は以下の実施形態に限定されるものではない。
【００１６】
実施例１
図１から図４に示す実施例１の出没式筆記具１は、前軸２と後軸３を螺着して軸筒本体を構成し、後軸３の内壁面には、軸心方向に沿って延びた深さが深いカム溝（図示せず）と浅いカム溝（図示せず）とを交互に形成したカム溝（図示せず）を形成してある。また、クリップ９を前軸２側にスライドすると、クリップ９と連動して回転カム５、押し棒６、摺動部材７が前軸２側に移動し、回転カム５による出没機構が作動して、筆記体１１の筆記先端部１３を、前軸２に螺着した口先部材４の先端開口部４Ａからの突出を維持することができる。また、前軸２には外筒１６を嵌着してある。
【００１７】
具体的には、後軸３の側壁後部に長手方向に伸びた摺動溝３Ａを周方向の異なる位置に、並列して形成する。また、クリップ９は、先端部下側に玉部９Ａを突出させるとともに、後端部下側に脚部９Ｃを並列に形成する。この脚部９Ｃの両側壁部に互いに対向し、貫通する孔状の係合凹部９Ｄが形成される。
【００１８】
この二つのクリップ９の脚部９Ｃを後軸３の後端開口部から摺動溝３Ａに挿入し、摺動部材７の２つの係合片部７Ｃに形成した円柱形の突出した係合凸部７Ｄにクリップ９の脚部９Ｃに形成した係合凹部９Ｄを嵌め込んでクリップ９を摺動部材７に対し回動自在に取り付けた凹凸係合部Ｒとしてある。更に、摺動部材７の棒状突起７Ｂにコイルスプリング１５を挿入し、このコイルスプリング１５をクリップ９の脚部９Ｃと摺動部材７との間に取付荷重（弾発力）８５０ｇで取り付け、通常クリップ９の脚部９Ｃ下側を後方に付勢することによって摺動部材７の係合凸部７Ｄを軸にしてクリップ９の先端部が下方に押され、クリップ９の玉部９Ａが後軸３の表面に押し付けられて閉じられる。
【００１９】
また、頭冠８は、後軸３の後端部に圧入装着するとともに、後軸３に設けた嵌合孔部に、頭冠８の突起を係合して装着してある。また、後軸３内の壁面には、後軸３後端が開口して長手方向に延びる凹部３Ｃを設けてあり、頭冠８に設けた突部（図示せず）を後軸３内の凹部３Ｃに挿通してある。さらに頭冠８には、クリップ９の脚部９Ｃ及び摺動部材７の係合片部７Ｃ間、且つ摺動部材７とクリップ９の凹凸係合部Ｒの同一円周上に位置する中間突部８Ａを設けてある。
【００２０】
次に、出没機構の動作について詳述すると、筆記体１１は回転カム５内に圧入保持されており、筆記体１１の筆記先端部１３が口先部材４の開口部４Ａ内に没入した状態（図１、図４−１）からクリップ９を前軸２側にスライド（矢印Ｆ方向）することにより、クリップ９に連動して、摺動部材７が連動し、摺動部材７に連動して押し棒６はカム溝に係合した突起に導かれて前軸２方向に移動する。また、押し棒６に連接した回転カム５も深いカム溝に係合したカム突起に導かれて前進する。カム突起が深いカム溝の先端に達してカム溝から離脱すると、押し棒６の凹凸部の頂部及び後軸３内に固着したバネ受け部材１０によって、コイルスプリングからなる弾発部材１４により後方へ付勢された回転カム９は回転して浅いカム溝に後退する。それに伴い、回転カム９及び筆記体１１はそれ以上後退することができず、筆記体１１の筆記先端部１３は、口先部材４の先端開口部４Ａより突出した状態で維持する（図２、図４−２）ことができ、再度、クリップ９を前軸２方向に押圧すると、筆記体１１の筆記先端部１３を口先部材４の先端開口部４Ａ内に没入することができる、従来から知られている回転カムによる出没機構である。尚、弾発部材１４の取付荷重（弾発力）は２５０ｇであった。
【００２１】
摺動部材７の先端部には、前方に向かって突出する棒状突起７Ａを設けてあり、この棒状突起７Ａには、外径を大きくした先端側突部７Ａａと、先端側突部よりも外径の大きい後端側突部７Ａｂとを長手方向で離間して設けてある。
【００２２】
また、摺動部材７の棒状突起７Ａの先端側突部７Ａａと後端側突部７Ａｂ間に、回転カム５に設けた環状突起５Ｂを係合し、回転カム５が摺動部材７に対し回転及び前後動可能に係合してあり、さらに、摺動部材７の棒状突起７Ａの先端側突部７Ａａが回転カム５の前方側への移動を規制し、摺動部材７の棒状突起７Ａの後端側突部７Ａｂが回転カム５の後方側への移動を規制してある。また、摺動部材７の棒状突起７Ａの後端側突部後方と摺動部材７の壁面７Ｅ間に、押し棒６に設けた環状突起を係合し、押し棒６が摺動部材７に対し回転可能、摺動部材７の棒状突起７Ａの後端側突部が押し棒６の前方側への移動を規制し、また、摺動部材７の壁面７Ｅが押し棒６の後方への移動を規制してある。
【００２３】
そのため、筆記体１１の筆記先端部１３が口先部材４の先端開口部４Ａから突出した状態では、回転カム５の環状突起と摺動部材７の棒状突起７Ａ先端側突部によって、摺動部材７の後方への移動を規制するので、クリップ９のガタツキを抑制することができる。
【００２４】
また、筆記体１１の筆記先端部１３が口先部材４の先端開口部４Ａ内に没入した状態では、押し棒６は後軸３内に設けた内側段部によって後方への移動を規制され、押し棒６の環状突起によって、摺動部材７の後方への移動を規制してある。そのため、クリップ９の脚部９Ｃは頭冠８によって後方への移動を規制せずに配設することができ、クリップ９のガタツキを抑制し、頭冠８を外れ難くすることができる。
【００２５】
次にクリップ９の開閉操作を説明すると、クリップ９の先端部の玉部９Ａが閉じた状態からクリップ９の後端部９Ｂを下方に押圧すると、摺動部材７の係合凸部７Ｄを軸にしてクリップ９の先端部の玉部９Ａが上方に開くとともにクリップ９の脚部９Ｃ下側でコイルスプリング１５を圧縮した状態となる。また、クリップ９の後端部９Ｂの押圧を止めればコイルスプリング１５に押されてクリップ９の先端部の玉部９Ａが閉じられ元の状態に復帰する。
【００２６】
筆記体１１は、ボールペンレフィルであり、インキ収容筒１２の先端部に、ボールが回転可能に抱持された筆記先端部１３をチップホルダーを介して装着し、インキ収容筒の内部には、黒色の剪断減粘性を有する水性ゲルインキ及びインキ追従体（図示せず）を直に収容してある。
【００２７】
尚、本実施例では便宜上、回転カムによる繰出機構を例示しているが、クリップをスライドすることにより、筆記体の筆記先端部を軸筒の先端開口部より突出する繰出機構を具備していれば、回転カムに限定されるものではない。また、図示はしていないが、頭冠に、消しゴムや摩擦部材などの付設部材を一体又は別体に設けてあってもよい。
【産業上の利用可能性】
【００２８】
本発明の出没式筆記具は、ボールペンに限定されるものではなく、シャープペンシル等、種々の筆記具に利用できるものである。
【符号の説明】
【００２９】
１  出没式筆記具
２  前軸
３  後軸
３Ａ  摺動溝
３Ｂ  内側段部
４  口先部材
４Ａ  先端開口部
５  回転カム
５Ａ  カム突起
５Ｂ  環状突起
６  押し棒
６Ａ  突起
６Ｂ  環状突起
７  摺動部材
７Ａ  棒状突起
７Ａａ  前方突起
７Ａｂ  後方突起
７Ｂ  隆起部
７Ｃ  係合片部
７Ｄ  係合凸部
７Ｅ  壁面
８  頭冠
８Ａ  中間突部
９  クリップ
９Ａ  玉部
９Ｂ  後端部
９Ｃ  脚部
９Ｄ  係合凹部
１１  筆記体
１３  筆記先端部
１４  弾発部材
１５  コイルスプリング
【図１】
2013132837.tif 000003
【図２】
2013132837.tif 000004
【図３】
2013132837.tif 000005
【図４】
2013132837.tif 000006